(57)【要約】【課題】ガラス容器を機体に載置した状態で強固にガラス容器を機体に固定できるコーヒー抽出器を提供する。【解決手段】基部２ａの後端に垂直部２ｂを立設し、該垂直部２ｂの上部に上端部２ｃを延設した逆コ字状の外観形状を有する機体２と、機体２の垂直部２ｂに設けた貯水部６と、機体２の上部２ｃに設けたコーヒー抽出部５と、機体２の基部２ａに設け、貯水部６から供給される水を加熱する加熱体７と、加熱された湯をコーヒー抽出部５へ供給する給湯パイプ８と、コーヒー抽出部５の下部に配置し、コーヒー抽出部５より抽出されたコーヒーを溜めるガラス容器４とを有し、機体２のガラス容器４近傍又はガラス容器４の少なくとも一方にマグネット１６を設けるとともに、他方にマグネット１６と対向する磁性金属を設けた。【選択図】図１
2004215764.tif 000002
【特許請求の範囲】
【請求項１】
基部の後端に垂直部を立設し、該垂直部の上部に上端部を延設した逆コ字状の外観形状を有する機体と、
前記機体の垂直部に設けた貯水部と、
前記機体の上部に設けたコーヒー抽出部と、
前記機体の基部に設け、前記貯水部から供給される水を加熱する加熱体と、
加熱された湯を前記コーヒー抽出部へ供給する給湯パイプと、
前記コーヒー抽出部の下部に配置し、前記コーヒー抽出部より抽出されたコーヒーを溜めるガラス容器とを有し、
前記機体の前記ガラス容器近傍又は前記ガラス容器の少なくとも一方にマグネットを設けるとともに、他方に前記マグネットと対向する磁性金属を設けたことを特徴とするコーヒー抽出器。
【請求項２】
前記磁性金属は前記ガラス容器に把手を固定するバンドであり、前記マグネットは前記バンドに対向して機体に設けたことを特徴とする請求項１に記載のコーヒー抽出器。
【請求項３】
前記磁性金属は前記基部の載置台に配置し、前記マグネットはガラス容器の底部に設けたことを特徴とする請求項１又は２に記載のコーヒー抽出器。
【請求項４】
前記載置台の裏側にリードスイッチを設けたことを特徴とする請求項３に記載のコーヒー抽出器。
【請求項５】
前記マグネットのキュリー点がコーヒーの保温温度近傍であることを特徴とする請求項４に記載のコーヒー抽出器。
【発明の詳細な説明】
【０００１】
【発明の属する技術分野】
本発明は、ガラス容器の転倒防止構造を備えたコーヒー抽出器に関するものである。
【０００２】
【従来の技術】
本発明に関連する先行技術文献としては次のものがある。
【０００３】
【特許文献１】
特開平５−１１５３８０号公報（３頁〜５頁、図２）
【０００４】
従来のこの種のコーヒー抽出器は、機体下部に設けられた載置台の下面に環状のヒータを付設し、水タンクから供給される水をその環状ヒータに沿って付設された給湯パイプの加熱部に供給して加熱し、得られた熱湯を上方に延びる給湯パイプの給湯部を介して機体上部に移送して、吐出口からコーヒー粉を収容した抽出器に注ぎ、抽出されたコーヒーは前記載置台上に載置された把手付きのガラス容器に注入され、前記ヒータの熱で保温されるようになっている。
【０００５】
上記構成のコーヒー抽出器においては、コーヒー抽出中やガラス容器に抽出されたコーヒーを保温している最中、又はコーヒー抽出器の機体にガラス容器を載置したまま運搬する際、ガラス容器や把手に強い外力が働いた場合、ガラス容器を転倒させて破損したり、転倒によりコーヒーを機体上や床面にこぼしたりするおそれがある。これらの問題を解決するため、機体のガラス容器を載置する部分に突出部を設け、この突出部の曲率とガラス容器の肩部の曲率とを合致させて略密着させてガラス容器の転倒防止を図ったものがある（例えば、特許文献１参照）。
【０００６】
【発明が解決しようとする課題】
しかしながら、上記の従来の構成では、機体の胴部の曲率とガラス容器肩部の曲率とを合致させる必要があり、ガラスのような成形精度が出にくい材質の容器で正確に曲率を合わせるのが困難であるとともに、機体胴部とガラス容器肩部の嵌合のみでは運搬時等の衝撃により簡単に嵌合が外れてしまうという問題がある。
【０００７】
そこで本発明は、ガラス容器を機体に載置した状態で強固にガラス容器を機体に固定できるコーヒー抽出器を提供することを目的とする。
【０００８】
【課題を解決するための手段】
前記課題を解決するため、本発明のコーヒー抽出器は、
基部の後端に垂直部を立設し、該垂直部の上部に上端部を延設した逆コ字状の外観形状を有する機体と、
前記機体の垂直部に設けた貯水部と、
前記機体の上部に設けたコーヒー抽出部と、
前記機体の基部に設け、前記貯水部から供給される水を加熱する加熱体と、
加熱された湯を前記コーヒー抽出部へ供給する給湯パイプと、
前記コーヒー抽出部の下部に配置し、前記コーヒー抽出部より抽出されたコーヒーを溜めるガラス容器とを有し、
前記機体の前記ガラス容器近傍又は前記ガラス容器の少なくとも一方にマグネットを設けるとともに、他方に前記マグネットと対向する磁性金属を設けものである。
【０００９】
前記コーヒー抽出器では、機体とガラス容器が、マグネットと磁性金属による磁気結合により強固に固定されるため、コーヒー抽出時、保温時又は運搬時にガラス容器が転倒することがなく、安全性に優れたコーヒー抽出器を提供することができる。
【００１０】
前記コーヒー抽出器において、前記磁性金属は前記ガラス容器に把手を固定するバンドであり、前記マグネットは前記バンドに対向して機体に設けると、従来設けていた把手を保持するバンドを利用してガラス容器を固定できるため、部品点数の増加を招くことがない点で好ましい。
【００１１】
また、前記コーヒー抽出器において、前記磁性金属は前記基部の載置台に配置し、前記マグネットはガラス容器の底部に設けると、従来設けていた載置台を利用してガラス容器を固定できるため、部品点数の増加を招くことがない点で好ましい。
【００１２】
また、前記コーヒー抽出器において、前記載置台の裏側にリードスイッチを設けると、ガラス容器の有無を検出でき、ガラス容器がない状態でのコーヒー抽出を防止できる点で好ましい。
【００１３】
さらに前記コーヒー抽出器において、前記マグネットのキュリー点がコーヒーの保温温度近傍であることは、保温温度で自動的にコーヒーを温度調節できる点で好ましい。
【００１４】
【発明の実施の形態】
以下、本発明の実施の形態を図面に従って説明する。
【００１５】
図１は、本発明の第１実施形態に係るコーヒー抽出器１を示す。このコーヒー抽出器１は、基部２の後端に垂直部２ｂを立設し、該垂直部２ｂの上端に上部２ｃを延設した逆コ字状の外観を有する機体２と、該機体２の基部２ａの上面に設けた載置台３に載置されるガラス容器４と、抽出器５とからなる。
【００１６】
前記機体２の垂直部２ｂの内部には、水タンク６が設けられている。また、前述の載置台３の下面には環状のヒータ７が付設されている。このヒータ７によって、前記水タンク６に接続されている給湯パイプ８を通過する水を加熱沸騰させ、後述の吐出口９へ送り出すようになっている。なお、機体２には、図示しないマイコン、スイッチ等の制御部が設けられ、コーヒーの抽出や保温制御を行うようになっている。
【００１７】
また、機体２の水平部２ｃには熱湯を吐出する吐出口９が形成されており、当該吐出口９の下方には、下部に流出孔１０を有するシャワーキャップ１１が設けられ、吐出口９から吐出された熱湯を分散して、ガラス容器４上にセットされた抽出器５に注ぐようになっている。
【００１８】
前記ガラス容器４は、上部が開口した有底筒状のガラス製の容器本体１２、容器本体１２の側部に設けた樹脂製の把手１３及び把手１３を容器本体１２に固定するための磁性金属製のバンド１４からなっている。また、容器本体１２の開口縁にはコーヒー液をコーヒーカップ等に注ぐための注ぎ口１５が設けられている。
【００１９】
そして、前記機体２の垂直部２ｂには、ちょうどバンド１４に対向する位置にマグネット１６を設けている。このマグネット１６の取付は、垂直部２ｂと一体成形する、垂直部２ｂに接着部材等を用いて接着する等、種々の方式が考えられる。そして、ガラス容器４を載置台３に載置するとバンド１４がマグネット１６に接触し、マグネット１６の磁力によってバンド１４がマグネット１６に吸着するようになっている。
【００２０】
抽出器５は、すり鉢状の本体１７と、該本体１７の上端を蓋する蓋体１８とからなっている。蓋体１８には熱湯流入孔１９が形成されている。本体１７には図示しないフィルターとコーヒー粉２０が収容されている。本体１７の下部にはコーヒー液抽出孔２１が形成されている。
【００２１】
本発明におけるコーヒー抽出器は上記のような構造であり、ユーザはコーヒー粉２０を抽出器１０に入れてガラス容器４を載置台３にセットし、水を水タンク６に収容して、図示しないスイッチをオンすると、ヒータ７が通電されて給水パイプ８内の水が加熱され沸騰し、吐出口９から沸騰した湯が抽出器５内に注がれる。これによってコーヒー液ができ抽出器５下部のコーヒー液抽出孔２１からコーヒー液がガラス容器４内に抽出される。そして抽出が完了すると自動的にヒータ７がオフし、コーヒー液を所定温度で保温する保温制御を行う。また、コーヒー液は、ガラス容器４を載置台３から取り外し、注ぎ口１５から別途コーヒーカップ等に注いで供することができる。
【００２２】
ここで、コーヒー抽出器１を、ガラス容器４を載置したまま移動させる場合においては、前述のマグネット１６の磁力によりバンド１４がマグネット１６に吸着しているため、コーヒー抽出器１を不用意に傾けたり、衝撃を加えたりしてもガラス容器４が落下して破損させたりするおそれがなく、安全である。
【００２３】
図２は、第２実施形態に係るコーヒー抽出器１を示す。このうち前記第１実施形態と同じ部分、部材については同一符号を付し、詳細な説明は省略する。第２実施形態では、ガラス容器４底部にマグネット１６を設け、載置台３の裏側で、かつマグネット１６に対向する箇所に磁性金属体２２を設けた点が、前記第１実施形態と相違する。マグネット１６の固定は、接着剤による固定等、周知の方式を採用すればよい。本実施形態においても第１実施形態と同様、マグネット１６と磁性金属体２２が接触し、マグネット１６の磁力によって磁性金属体２２が載置台３に吸着し、運搬等においてガラス容器４が落下、破損するおそれがなくなる。なお、この実施形態において、載置台３そのものを磁性金属体で構成すれば、別途磁性金属体２２を設ける必要がなく、コスト低減が図れる点で有利である。また、磁性金属体２２とマグネット１６の配置を逆にしても同様の作用効果が得られることは言うまでもない。さらに、マグネット１６に代えて、ガラス容器４底部に磁性材料をコーテイングしてもよい。
【００２４】
なお、本発明のコーヒー抽出器は上記実施形態に限定されるものではない。
【００２５】
例えば、第１実施形態において、さらにガラス容器４底部にマグネット１６を設け、載置台３裏面でかつマグネット１６と対向する部分にリードスイッチを設けて、ガラス容器４を載置するとマグネット１６の作用によりリードスイッチがオンし、ヒータに通電できるようにしてもよい。この場合、マグネット１６としてキュリー点がコーヒーの保温温度（例えば８０℃）近傍の磁性材料を用いれば、キュリー点近傍でリードスイッチが自動的にオンオフし、自動的に保温制御を行うことができる。
【００２６】
また、図３に示すように、抽出器５を機体２の上部２ｃに取り付けるようにしたコーヒー抽出器１において、抽出器５の抽出孔２１にマグネット１６を有する逆止弁２３を設け、ガラス容器４の開口部を閉塞する蓋体２４の逆止弁２３に対向する部分にもマグネット１６を設け、ガラス容器４を載置した際に前記マグネット１６同士の反発力で逆止弁２３を上に押し上げて抽出孔２１を開放するようにすれば、コーヒーの抽出とガラス容器４の固定を両方行うことができ便利である。さらに、上述の実施形態を適宜組み合わせてもよい。また、ドリップ式のコーヒー抽出器以外に、例えばサイフォン式のコーヒー抽出器に用いてもよい。
【００２７】
【発明の効果】
以上の説明から明らかなように、本発明のコーヒー抽出器では、機体のガラス容器近傍又はガラス容器の少なくとも一方にマグネットを設けるとともに、他方にマグネットと対向する磁性金属を設けたことにより、コーヒー抽出時、保温時又は運搬時にガラス容器が転倒することがなく、安全性に優れたコーヒー抽出器を提供することができる。
【図面の簡単な説明】
【図１】本発明の第１実施形態に係るコーヒー抽出器の概略図である。
【図２】本発明の第２実施形態に係るコーヒー抽出器の概略図である。
【図３】本発明のコーヒー抽出器の変形例を示す概略図である。
【符号の説明】
１…コーヒー抽出器、２…機体、３…載置台、４…ガラス容器、５・・・抽出器、１２…ガラス容器本体、１４…バンド、１６…マグネット。
【図１】
2004215764.tif 000003
【図２】
2004215764.tif 000004
【図３】
2004215764.tif 000005